(57)【要約】【課題】バッテリの交換を容易に行うことが可能なショッピングカート及び収容方法を提供すること。【解決手段】本発明にかかるショッピングカート１は、カート本体部１０と、情報端末４０と、情報端末４０に電力を供給するバッテリ１７７を収容する収容部１６と、を備えるショッピングカートであって、収容部１６は、カート本体部１０のうち、自カートと他カートとを前後方向に重ねて収容した場合に、自カート及び他カートの構成物と干渉することなく、バッテリ１７７を取り出すことが可能な位置に配置されている。【選択図】図７
2022001491.tif 000002
【特許請求の範囲】
【請求項１】
カート本体部と、
情報端末と、
前記情報端末に電力を供給するバッテリを収容する収容部と、
を備えるショッピングカートであって、
前記収容部は、前記カート本体部のうち、自カートと他カートとを前後方向に重ねて収容した場合に、自カート及び他カートの構成物と干渉することなく、前記バッテリを取り出すことが可能な位置に、鉛直方向に対して傾斜するように配置されている、
ショッピングカート。
【請求項２】
前記収容部は、前方向に傾斜するように配置されている、請求項１に記載のショッピングカート。
【請求項３】
前記収容部は、
筐体と、
前記バッテリを載置し、前記筐体に収容可能な引き出しと、
を備え、
前記引き出しは、前記筐体から引き出すことが可能な、請求項１又は２に記載のショッピングカート。
【請求項４】
前記収容部は、前記引き出しが引き出された場合に、前記引き出しの鉛直方向の変位を規制するストッパを前記筐体内に備える、請求項３に記載のショッピングカート。
【請求項５】
前記カート本体部の上部に設けられ、第１のカゴを載置する第１の載置部と、
前記カート本体部の下部に設けられ、第２のカゴを載置する第２の載置部と、
をさらに備え、
前記収容部は、前記第１の載置部と前記第２の載置部との間に設けられている、請求項１から４のいずれか１項に記載のショッピングカート。
【請求項６】
カート本体部と、
情報端末と、
を備えるショッピングカートに対して、前記情報端末に電力を供給するバッテリを収容する収容方法であって、
自カートと他カートとを前後方向に重ねて収容した場合に、自カート及び他カートの構成物と干渉することなく、前記バッテリを取り出すことが可能な位置に、鉛直方向に対して傾斜するように配置された収容部に対して、前記バッテリを収容する、
収容方法。
【発明の詳細な説明】
【技術分野】
【０００１】
本発明は、ショッピングカートに関する。
【背景技術】
【０００２】
スーパーマーケット等の店舗内で顧客に使用される情報端末付きのショッピングカートが提案されている。例えば、特許文献１には、表示器やスキャナ等を備えるショッピングカートが開示されている。
【先行技術文献】
【特許文献】
【０００３】
【特許文献１】特開２０１９−１５１２１９号公報
【発明の概要】
【発明が解決しようとする課題】
【０００４】
特許文献１に記載されるように、ショッピングカートは前後方向に重ねて収容される。この種のショッピングカートは、表示器やスキャナ等へ電源を供給するためのバッテリを備えている。バッテリは、充電又は交換する必要がある。特許文献１のショッピングカートのように、バッテリの収容部は、主に、ショッピングカート上段のカゴ載置部の下方に設けられる。特許文献１のようなショッピングカートでバッテリを交換する場合、ショッピングカート複数台が前後方向に重ねられた状態では、他のショッピングカートの構成物が干渉する。そのため、最後方のショッピングカートを除き、構成物が干渉しない距離にショッピングカートを移動させてバッテリ交換を行う必要がある。
【０００５】
本発明はこのような課題を解決するためになされたものであり、バッテリの交換を容易に行うことが可能なショッピングカート及び収容方法を提供することを目的とする。
【課題を解決するための手段】
【０００６】
本発明にかかるショッピングカートは、カート本体部と、情報端末と、前記情報端末に電力を供給するバッテリを収容する収容部と、を備えるショッピングカートであって、前記収容部は、前記カート本体部のうち、自カートと他カートとを前後方向に重ねて収容した場合に、自カート及び他カートの構成物と干渉することなく、前記バッテリを取り出すことが可能な位置に配置されているものである。
【０００７】
本発明にかかる収容方法は、カート本体部と、情報端末と、を備えるショッピングカートに対して、前記情報端末に電力を供給するバッテリを収容する収容方法であって、自カートと他カートとを前後方向に重ねて収容した場合に、自カート及び他カートの構成物と干渉することなく、前記バッテリを取り出すことが可能な位置に配置された収容部に対して、前記バッテリを収容するものである。
【発明の効果】
【０００８】
本発明により、バッテリの交換を容易に行うことが可能なショッピングカート及び収容方法を提供することができる。
【図面の簡単な説明】
【０００９】
【図１】実施の形態にかかるショッピングカートを示す斜視図である。
【図２】実施の形態にかかるショッピングカートを示す外観図である。
【図３】実施の形態にかかるショッピングカート２台を重ねた状態を示す側面図である。
【図４】実施の形態にかかるショッピングカートの収容部を示す外観図である。
【図５】実施の形態にかかるショッピングカートの収容部を示す図４（ｂ）のＡ−Ａ線断面矢視図である。
【図６】実施の形態にかかるショッピングカートの収容部に収容される引き出しを示す外観図である。
【図７】実施の形態にかかるショッピングカート２台を重ね、引き出しを引き出した状態を示す斜視図である。
【図８】実施の形態にかかるショッピングカートにおいてバッテリを取り出す方法を示す図である。
【図９】実施の形態にかかるショッピングカートのバッテリ収容部を示す斜視図である。
【図１０】実施の形態にかかるショッピングカートの引き出しを最大限に引き出した状態のバッテリ収容部を示す斜視図である。
【発明を実施するための形態】
【００１０】
＜実施の形態＞
以下、図面を参照して本発明の実施の形態について説明する。以下では、ショッピングカート１の進行方向を前方向、後退方向を後方向、進行方向に対して右側を右方向、進行方向に対して左側を左方向、鉛直上方向を上方向、鉛直下方向を下方向として説明する。
【００１１】
図１は、本実施の形態にかかるショッピングカート１の斜視図である。図２の（ａ）、（ｂ）及び（ｃ）は、それぞれ、ショッピングカート１の正面図、上面図及び側面図である。
【００１２】
ショッピングカート１は、カート本体部１０、情報端末４０、スキャナ５０、ハンディスキャナ５２を備える。
カート本体部１０は、２つの把持部１２、４つの車輪部１４、第１のカゴ載置部１８、第２のカゴ載置部２０、バッテリ収容部１６を有する。
【００１３】
カート本体部１０は、略対象の形状である左フレーム２２と右フレーム２４とが、所定の間隔において、複数箇所の結合部２６で結合されて形成されている。左フレーム２２及び右フレーム２４は、第２のカゴ載置部２０及びフレームＡ２８との接合部近傍から、それぞれ前方及び後方に向かい延びている。
【００１４】
結合部２６のひとつであるフレームＡ２８は、左フレーム２２と右フレーム２４とを接続する、水平方向に延びるフレームである。フレームＢ３０及びフレームＣ３２は、それぞれ左フレーム２２、右フレーム２４より前方に位置し、後方から前方に向かって、バッテリ収容部１６と略平行に傾斜するフレームである。フレームＢ３０とフレームＣ３２の間には、バッテリ収容部１６を取り付ける金属製の取付板３４が設けられている。
各フレームは、例えば金属製のフレーム材により形成される。フレーム材とは、フレームを構成可能なパイプ材、型材等の素材である。
【００１５】
把持部１２は、カート本体部１０の上部において左右に１つずつ設けられている。把持部１２は、例えば樹脂、ゴム等の高分子材料製の素材により形成される。顧客は２つの把持部１２を握り、ショッピングカート１を移動させる。
【００１６】
車輪部１４は、カート本体部１０の下端に設けられている。車輪部１４は、左フレーム２２及び右フレーム２４の前方及び後方の先端に設けられている。車輪部１４は、例えば鉛直方向の軸周りに自由に回転するブラケットと、このブラケットに対し水平方向に自由に回転する車輪とを備えている。この車輪が回転することにより、ショッピングカート１が移動する。
【００１７】
第１のカゴ載置部１８は、カート本体部１０の上部に設けられ、第２のカゴ載置部２０は、カート本体部１０の下部に設けられている。第１のカゴ載置部１８及び第２のカゴ載置部２０には、顧客が商品を入れるためのカゴを載置する。
【００１８】
バッテリ収容部１６は、バッテリ１７７を収容する。バッテリ１７７は、情報端末４０と接続され、情報端末４０に電力を供給する。
バッテリ収容部１６及びバッテリ１７７は、薄型の略直方体状に形成されている。具体的には、バッテリ収容部１６及びバッテリ１７７は、これらがショッピングカート１に備えられた状態において、左右方向の幅、上下方向の幅、前後方向の幅、の順に各面の幅が小さくなるような略直方体状に形成されている。最も幅の小さい前後方向は、例えば３〜５ｃｍ程度の幅で形成され、片手でバッテリ１７７の取り出しを行うことが可能である。
【００１９】
バッテリ収容部１６及びバッテリ１７７の形状は、これに限られない。例えば、バッテリ収容部１６及びバッテリ１７７の前後方向の幅は、上下方向の幅以上でもよいし、左右方向の幅以上でもよい。また、左右方向の幅より上下方向の幅が大きくなっていてもよい。また、バッテリ収容部１６及びバッテリ１７７の形状は、前後方向の幅が例えば１〜３ｃｍ程度の、上記形状よりさらに薄型の略平板状でもよい。バッテリ収容部１６は、バッテリ１７７が収容できる大きさであれば、形状がバッテリ１７７と異なっていてもよい。
【００２０】
図２の（ａ）及び（ｃ）を用いて、バッテリ収容部１６が配置される位置について説明する。図２（ａ）の正面図に示されるように、バッテリ収容部１６の主面が略前後方向を向くようにバッテリ収容部１６が配置されている。
図２（ｃ）に示されるように、バッテリ収容部１６は、側面視した場合に、バッテリ１７７の取り出しの際に障害となる構成物がない位置に配置されている。具体的には、バッテリ収容部１６は、側面視において、第１のカゴ載置部１８と第２のカゴ載置部２０との間で、これらと干渉しない位置に配置されている。また、バッテリ収容部１６は、右側面視において、右フレーム２４とフレームＣ３２により囲まれた領域内で、これらと左右方向に干渉しない位置に配置されている。具体的には、バッテリ収容部１６の側面の長手方向が略上下方向を向き、なおかつ、この例では、フレームＣ３２と略平行になる方向にバッテリ収容部１６が配置されている。なお、左側面視においては、図３に示すように、バッテリ収容部１６は、左フレーム２２とフレームＢ３０により囲まれた領域内で、これらと干渉しない位置に配置されている。
【００２１】
したがって、バッテリ１７７がショッピングカート１の構成物と干渉することなく、前後方向に対し略直交する方向にバッテリ１７７を取り出すことができる。バッテリ１７７は、例えば、左又は右方向から取り出すことができる。バッテリ１７７は、左右のいずれか一方向にのみ取り出し可能であってもよいし、左右のいずれからも取り出し可能であってもよい。また、これに限らず、バッテリ１７７は、例えば左斜め上方向又は右斜め上方向に取り出されてもよい。
また、後述するように、ショッピングカート１は、図３に示すように、前後方向に重ねられる。バッテリ収容部１６の位置は、ショッピングカート１を前後方向に重ねる際に、障害とならない位置でもある。
【００２２】
情報端末４０は、カート本体部１０の上部に設けられ、タッチパネル付きディスプレイ４２を有する。タッチパネル付きディスプレイ４２は、商品に関する情報等を表示するとともに、顧客の入力を受け付ける。また、情報端末４０は、他の装置と無線通信を行う。他の装置は、例えばＰＯＳ（Point Of Sales）端末である。
【００２３】
スキャナ５０及びハンディスキャナ５２は、顧客が購入する商品のバーコードを読み取る。ハンディスキャナ５２は、箱買いする商品のバーコードを読み取るためのものであり、必ずしも備える必要はない。
【００２４】
なお、バッテリ収容部１６と情報端末４０との間及びハンディスキャナ５２と情報端末４０との間は、ケーブル４４で接続されているが、図１から図３及び図７においては、図示を省略している。
【００２５】
図３は、２台のショッピングカート１を前後方向に重ねたときの、ショッピングカート１を左方向から見た側面図である。１台目のショッピングカート１の第１のカゴ載置部１８及び第２のカゴ載置部２０に、２台目のショッピングカート１の第１のカゴ載置部１８及び第２のカゴ載置部２０が、それぞれ進入している。ショッピングカート１は、１台目（前側）のショッピングカート１のフレームＡ２８に、２台目（後ろ側）のショッピングカート１のフレームＢ３０及びフレームＣ３２が当接することによって、所定の間隔を保って重ねられる。
【００２６】
バッテリ収容部１６は、図３に示すように、２台のショッピングカート１を前後方向に重ねた状態であっても、側面視で、１台目及び２台目のショッピングカート１の構成物が、バッテリ１７７取り出しの際に障害とならない位置に配置されている。したがって、バッテリ１７７が１台目及び２台目の構成物と干渉することなく、バッテリ１７７を左又は右方向から取り出すことができる。
【００２７】
また、１台目のショッピングカート１のバッテリ収容部１６は、１台目のショッピングカート１の第１のカゴ載置部１８及び第２のカゴ載置部２０に、２台目のショッピングカート１の第１のカゴ載置部１８及び第２のカゴ載置部２０がそれぞれ進入する際に、進入の障害とならない位置に配置されている。具体的には、２台目のショッピングカート１を重ねた状態において、２台目のショッピングカート１のバッテリ収容部１６の前面が、１台目のショッピングカート１の左フレーム２２及び右フレーム２４よりも後方にくるように配置されている。
【００２８】
１台目のショッピングカート１でバッテリ１７７を左又は右方向に取り出す際には、重ねられた２台目のショッピングカート１の構成物は障害とならず、２台目のショッピングカート１でバッテリ１７７を左又は右方向に取り出す際には、重ねられた１台目のショッピングカート１の構成物は障害とならない。
【００２９】
したがって、３台以上のショッピングカート１を前後方向に重ねても、重ねられた全てのショッピングカート１において、バッテリ収容部１６の扉を開き、バッテリ１７７を載置した引き出しを引き出して、バッテリ１７７を交換することが可能である。
【００３０】
図４から図６を参照して、バッテリ収容部１６について説明する。
図４（ａ）は、バッテリ収容部１６の斜視図であり、図４（ｂ）は、バッテリ収容部１６の正面図及び側面図である。図５は、図４（ｂ）の正面図のＡ−Ａ線断面矢視図であり、バッテリ１７７が載置されていない状態を示す図である。図６（ａ）は、引き出し１６２の斜視図であり、図６（ｂ）は、引き出し１６２の６面図である。
【００３１】
図４（ａ）に示すように、バッテリ収容部１６は、箱状の筐体１６０、開閉可能な扉１６１を有している。また、図５に示すように、バッテリ収容部１６には、バッテリ１７７を載置する引き出し１６２を収容することができる。扉１６１は、ヒンジ１６３を回動軸として、下側に回動する。扉１６１には、鍵１７６の差し込み口１６４が設けられている。
【００３２】
図５に示すように、扉１６１と対向する面には、情報端末４０からのケーブル４４を引き込むケーブル引き込み口１６５が設けられている。情報端末４０からのケーブル４４は、接続部品１６６を介してケーブル１６８と接続されている。ケーブル１６８は、バッテリ１７７のレセプタクルへ差し込むプラグ１６７を先端に有している。なお、図５において、ケーブル引き込み口１６５から先の、情報端末４０に繋がるケーブル４４は図示を省略している。
【００３３】
また、図５に示すように、筐体１６０の内側面には、鍵１７６を開錠して扉１６１を開け、引き出し１６２を引き出したときに、引き出し１６２の鉛直方向の変位を規制する第１のストッパ１７１が設けられている。また、第１のストッパ１７１は、扉１６１の筐体１６０への進入を規制する。なお、図１０に示すように、第１のストッパ１７１は、筐体１６０の対向する内側面にも設けられている。
【００３４】
また、図５に示すように、筐体１６０の下面には、引き出し１６２が、所定の長さだけ引き出されると引き出されることを規制する第２のストッパ１７２が設けられている。第２のストッパ１７２は、引き出し１６２の底面に設けられている溝１７３から突出するように設けられている。
【００３５】
図６に示すように、引き出し１６２は、上面の全て、正面の一部及び左側面の一部が開放されている。前述したように、引き出し１６２の底面には、第２のストッパ１７２に対応する溝１７３が設けられている。引き出し１６２の内側には、バッテリ１７７の載置位置を規定する段差部１７４が設けられている。図６（ａ）に示すように、段差部１７４には、第２のストッパ１７２の進入を許容するために、切り欠き１７５が設けられている。
【００３６】
図７（ａ）は、２台のショッピングカート１を前後方向に重ねた状態で、バッテリ収容部１６の扉１６１を開き、バッテリ１７７を載置した引き出し１６２を引き出したときの斜視図である。図７（ｂ）は、図７（ａ）の要部拡大図である。
【００３７】
図７（ａ）に示すように、２台のショッピングカート１を前後方向に重ねた状態でも、バッテリ収容部１６の扉１６１を開き、バッテリ１７７を載置した引き出し１６２を引き出して、バッテリ１７７を交換することが可能である。なお、図７（ａ）、図７（ｂ）においては、バッテリ収容部１６のケーブル引き込み口１６５から引き込まれたケーブル４４に接続されているケーブル１６８のプラグ１６７のみを示し、ケーブル１６８については図示を省略している。
【００３８】
図７（ａ）は、２台のショッピングカート１を前後方向に重ねた状態を示しているが、前述したように、３台以上のショッピングカート１を前後方向に重ねた状態であっても、重ねられた全てのショッピングカート１で、バッテリ収容部１６の扉１６１を開き、バッテリ１７７を載置した引き出し１６２を引き出して、バッテリ１７７を交換することが可能である。
【００３９】
図８は、バッテリ収容部１６からバッテリ１７７を取り出す方法を示す図である。まず、図８（ａ）に示すように、差し込み口１６４に鍵１７６を差し込んで回し、開錠する。次に、図８（ｂ）に示すように、扉１６１を開く。次に、図８（ｃ）及び（ｄ）に示すように、バッテリ１７７を載置した引き出し１６２を引き出す。最後に、バッテリ１７７からケーブル１６８のプラグ１６７を抜いて、バッテリ１７７を取り出す。なお、図８においては、ケーブル引き込み口１６５から引き込まれたケーブル４４に接続されているケーブル１６８のプラグ１６７のみを示し、ケーブル１６８については図示を省略している。
【００４０】
図９は、バッテリ収容部１６の斜視図であり、点線で、バッテリ収容部１６の内部に位置するケーブル１６８、バッテリ１７７、第１のストッパ１７１、引き出し１６２を示している。図９に示すように、ケーブル引き込み口１６５は、収容されているバッテリ１７７の上面よりも低い位置にあり、かつ、収容されているバッテリ１７７とは離隔している。
【００４１】
さらに、ケーブル引き込み口１６５から引き込まれたケーブル４４は、バッテリ１７７の上面よりも高い位置を経由して、収容されているバッテリ１７７に接続される。したがって、バッテリ収容部１６の外からケーブル４４を伝って水がバッテリ収容部１６に進入するようなことがあっても、バッテリ１７７に水が掛かってしまうおそれはない。
【００４２】
図１０は、バッテリ１７７を載置した引き出し１６２を、最大に引き出したときのバッテリ収容部１６の斜視図であり、点線で、バッテリ収容部１６の内部に位置するケーブル４４、バッテリ１７７、第１のストッパ１７１、引き出し１６２を示している。
【００４３】
図１０に示すように、前述した第１のストッパ１７１は、鍵１７６を開錠して扉１６１を開け、引き出し１６２を引き出したとき、引き出し１６２の鉛直方向の変位を規制する。前述したように、第２のストッパ１７２は、引き出し１６２が、所定の長さだけ、即ち、最大に引き出されるとそれ以上引き出されることを規制する。
【００４４】
以上説明したように、本実施の形態にかかるショッピングカートによれば、複数台が前後方向に重ねられた状態でも、バッテリの交換を容易に行うことができる。
【００４５】
また、本実施の形態にかかる収容方法によれば、カート本体部と、情報端末と、を備えるショッピングカートに対して、自カートと他カートとを前後方向に重ねて収容した場合に、自カート及び他カートの構成物と干渉することなく、前記情報端末に電力を供給するバッテリを取り出すことが可能な位置に配置された収容部に対して、前記バッテリを収容するので、複数台が前後方向に重ねられた状態でも、バッテリの交換を容易に行うことができる。
【００４６】
なお、本発明は上記実施の形態に限られたものではなく、趣旨を逸脱しない範囲で適宜変更することが可能である。
例えば、前述の実施形態では、バッテリ収容部１６は、ショッピングカート１の正面視で、左方向にバッテリ１７７を取り出すように設けられているが、右方向にバッテリ１７７を取り出すように設けてもよい。
また、前述の実施形態では、扉１６１は、ヒンジ１６３を回動軸として、下側に回動するが、左側、右側又は上側に回動するようにしてもよい。
【符号の説明】
【００４７】
１  ショッピングカート
１０  カート本体部
１２  把持部
１４  車輪部
１６  バッテリ収容部
１８  第１のカゴ載置部
２０  第２のカゴ載置部
２２  左フレーム
２４  右フレーム
２６  結合部
２８  フレームＡ
３０  フレームＢ
３２  フレームＣ
３４  取付板
４０  情報端末
４２  タッチパネル付きディスプレイ
４４  ケーブル
５０  スキャナ
５２  ハンディスキャナ
１６０  筐体
１６１  扉
１６２  引き出し
１６３  ヒンジ
１６４  差し込み口
１６５  ケーブル引き込み口
１６６  接続部品
１６７  プラグ
１６８  ケーブル
１７１  第１のストッパ
１７２  第２のストッパ
１７３  溝
１７４  段差部
１７５  切り欠き
１７６  鍵
１７７  バッテリ
【図１】
2022001491.tif 000003
【図２】
2022001491.tif 000004
【図３】
2022001491.tif 000005
【図４】
2022001491.tif 000006
【図５】
2022001491.tif 000007
【図６】
2022001491.tif 000008
【図７】
2022001491.tif 000009
【図８】
2022001491.tif 000010
【図９】
2022001491.tif 000011
【図１０】
2022001491.tif 000012